(57)【要約】【課題】レンズ鏡筒において、外径の増加を抑えつつ複数のレンズユニットを移動させる。【解決手段】レンズ鏡筒は、第１のレンズ１０５，１０７および第２のレンズ１０１の光軸方向への直進移動を案内する第１の案内筒１１１と、第１の案内筒に対して光軸回りで回転可能であり、該回転により第１のレンズを光軸方向に移動させる第１のカムを有する第１のカム筒１１０と、第１のカム筒の回転により第１の案内筒に対して光軸回りで回転可能であり、該回転により第２のレンズを光軸方向に移動させる第２のカムを有する第２のカム筒１０９とを有する。【選択図】図１
2019132947.tif 000002
【特許請求の範囲】
【請求項１】
第１のレンズおよび第２のレンズの光軸方向への直進移動を案内する第１の案内筒と、
前記第１の案内筒に対して光軸回りで回転可能であり、該回転により前記第１のレンズを前記光軸方向に移動させる第１のカムを有する第１のカム筒と、
前記第１のカム筒の回転により前記第１の案内筒に対して前記光軸回りで回転可能であり、該回転により前記第２のレンズを前記光軸方向に移動させる第２のカムを有する第２のカム筒とを有することを特徴とするレンズ鏡筒。
【請求項２】
第３のレンズを保持する直進筒と、
前記第１の案内筒により前記光軸方向への直進移動が案内され、前記直進筒の前記光軸方向への直進移動を案内する第２の案内筒と有し、
前記第２のカム筒は、前記第１および第２の案内筒に対して前記光軸回りで回転可能であり、該回転により前記直進筒を前記光軸方向に移動させる第３のカムを有することを特徴とする請求項１に記載のレンズ鏡筒。
【請求項３】
前記第２のカム筒は、前記第２の案内筒の前記光軸方向への移動により前記光軸方向に移動可能であることを特徴とする請求項２に記載のレンズ鏡筒。
【請求項４】
前記第２のレンズは、前記第１の案内筒による前記直進移動の案内を受ける被案内部と前記第２のカムに係合するカムフォロワとを有するレンズ保持部材により保持されており、
前記レンズ保持部材において、前記被案内部と前記カムフォロワとが互いに光軸回り方向における互いに異なる位相に設けられていることを特徴とする請求項１から３のいずれか一項に記載のレンズ鏡筒。
【請求項５】
前記光軸方向における前記被案内部の移動範囲と前記カムフォロワの移動範囲とが互いに重複していることを特徴とする請求項４に記載のレンズ鏡筒。
【請求項６】
前記カムフォロワの外径が、前記被案内部の外径よりも大きいことを特徴とする請求項４または５に記載のレンズ鏡筒。
【請求項７】
前記第２の案内筒および前記第１のカム筒は、該第２の案内筒の前記光軸方向への移動によって前記第１のカム筒を前記光軸回りで回転させる第１のカム機構を有することを特徴とする請求項１から６のいずれか一項に記載のレンズ鏡筒。
【請求項８】
前記第１の案内筒および前記第１のカム筒は、該第１のカム筒の前記光軸回りでの回転によって前記第１のカム筒を前記第１の案内筒に対して前記光軸方向に移動させる第２のカム機構を有することを特徴とする請求項１から７のいずれか一項に記載のレンズ鏡筒。
【請求項９】
回転操作により前記光軸回りで回転する操作環を有し、
前記操作環と前記第２の案内筒は、該操作環の回転により前記第２の案内筒を前記光軸方向に移動させる第３のカム機構を有することを特徴とする請求項１から８のいずれか一項に記載のレンズ鏡筒。
【請求項１０】
前記第１のカム筒および前記第２のカム筒は、前記第１のカム筒の前記光軸回りでの回転により前記第２のカム筒が前記光軸回りで回転するように係合していることを特徴とする請求項１から７のいずれか一項に記載のレンズ鏡筒。
【請求項１１】
前記第１のレンズは、複数のレンズユニットを含み、
前記第１のカム筒は、前記第１のカムとして、前記複数のレンズユニットをそれぞれ前記光軸方向に移動させる複数のカムを有することを特徴とする請求項１から８のいずれか一項に記載のレンズ鏡筒。
【請求項１２】
請求項１から１１のいずれか一項に記載のレンズ鏡筒を有することを特徴とする光学機器。
【発明の詳細な説明】
【技術分野】
【０００１】
本発明は、レンズ鏡筒およびこれを用いる交換レンズや撮像装置等の光学機器に関する。
【背景技術】
【０００２】
レンズ鏡筒には、撮像光学系を構成する複数のレンズユニットを光軸方向に移動させる（すなわち複数のレンズユニット間の間隔を変化させる）ことで撮像画角を変化させるズーム機構を有するものがある。このようなレンズ鏡筒においてズーム倍率を上げるためには、各レンズユニットの移動量を大きくする必要がある。この際、ユーザが小さい操作トルクでカム筒を回転させて各レンズユニットを大きく移動させることができるように、広角端から望遠端までのカム筒の回転量を大きくする必要があるが、この結果、１つのカム筒に設けられるカムの数が制限される。
【０００３】
このため、移動させるレンズユニットの数が多い場合には、特許文献１にて開示されたレンズ鏡筒のように、移動可能な複数のレンズユニットのうち一部のレンズユニットを２段構成のカム筒を用いて移動させる。具体的には、第１のカム筒を光軸回りで回転させて該第１のカム筒のカムにより、第１のカム筒の内側に配置された第２のカム筒を光軸方向に移動させるとともに光軸回りで回転させ、該第２のカム筒のカムによってレンズユニットを光軸方向に移動させる。
【先行技術文献】
【特許文献】
【０００４】
【特許文献１】特開平１０−２５３８６７号公報
【発明の概要】
【発明が解決しようとする課題】
【０００５】
しかしながら、上記のような２段構成のカム筒の採用により、レンズ鏡筒の外径が大きくなる。
【０００６】
本発明は、外径の増加を抑えつつ複数のレンズユニットを移動させることが可能なレンズ鏡筒を提供する。
【課題を解決するための手段】
【０００７】
本発明の一側面としてのレンズ鏡筒は、第１のレンズおよび第２のレンズの光軸方向への直進移動を案内する第１の案内筒と、第１の案内筒に対して光軸回りで回転可能であり、該回転により第１のレンズを光軸方向に移動させる第１のカムを有する第１のカム筒と、第１のカム筒の回転により第１の案内筒に対して光軸回りで回転可能であり、該回転により第２のレンズを光軸方向に移動させる第２のカムを有する第２のカム筒とを有することを特徴とする。
【０００８】
なお、上記レンズ鏡筒を有する光学機器も、本発明の他の一側面を構成する。
【発明の効果】
【０００９】
本発明によれば、複数のレンズユニットを移動させることが可能なレンズ鏡筒を小型化（小径化）することができる。
【図面の簡単な説明】
【００１０】
【図１】本発明の実施例であるレンズ鏡筒の分解斜視図。
【図２】実施例のレンズ鏡筒のワイド状態での断面図。
【図３】実施例のレンズ鏡筒のテレ状態での断面図。
【図４】実施例における直進筒の断面図。
【図５】実施例における第２レンズ保持部材の断面図。
【図６】実施例における第３レンズ保持部材の断面図。
【図７】実施例における第４レンズ保持部材の断面図。
【図８】実施例における第２のカム筒の斜視図。
【図９】実施例における第２のカム筒および第２の案内筒の断面図。
【図１０】実施例における第２の案内筒の斜視図。
【図１１】実施例における直進筒と第２のカム筒の断面図。
【図１２】実施例における操作環の断面図。
【図１３】実施例における第１のカム筒の斜視図。
【図１４】実施例における第１の案内筒の斜視図。
【図１５】実施例における第１の案内筒と第１のカム筒のワイド状態での側面図。
【図１６】実施例における第１の案内筒と第１のカム筒のテレ状態での側面図。
【図１７】実施例のレンズ鏡筒（ワイド状態）の第２カムフォロワを含む断面図。
【図１８】実施例のレンズ鏡筒（ワイド状態）の第６カムフォロワを含む断面図。
【図１９】実施例のレンズ鏡筒（ワイド状態）の第２直進フォロワを含む断面図。
【図２０】実施例のレンズ鏡筒（ワイド状態）の断面図。
【図２１】実施例のレンズ鏡筒（テレ状態）の断面図。
【発明を実施するための形態】
【００１１】
以下、本発明の実施例について図面を参照しながら説明する。図１は、本発明の実施例であるレンズ鏡筒を分解して示している。該レンズ鏡筒を用いて、光学機器としての交換レンズが構成される。ただし、本実施例と同様の構成を有するレンズ鏡筒を、光学機器としてのレンズ一体型カメラに用いてもよい。図２および図３はそれぞれ、本実施例のレンズ鏡筒のワイド（広角端）状態とテレ（望遠端）状態の断面を示している。図中のＡは、レンズ鏡筒（つまりは後述する撮像レンズ）の光軸であり、該光軸Ａが延びる方向を光軸方向という。さらに光軸方向に直交する方向を径方向といい、光軸回りの方向を周方向または回転方向ともいう。
【００１２】
まず、レンズ鏡筒により保持される撮像レンズの構成を説明する。撮像レンズは、被写体側から像側に順に配置された第１レンズユニット１０３、第２レンズユニット１０１、第３レンズユニット１０５および第４レンズユニット１０７により構成されている。第３レンズユニット１０５および第４レンズユニット１０７は複数のレンズユニットを含む第１のレンズに相当し、第２レンズユニット１０１は第２のレンズに相当する。また、第１レンズユニット１０３は、第３のレンズに相当する。
【００１３】
１０４は第１レンズユニット１０１を保持する直進筒であり、１０２は第２レンズユニット１０１を保持する第２レンズ保持部材である。１０６は第３レンズユニット１０５を保持する第３レンズ保持部材であり、１０８は第４レンズユニット１０７を保持する第４レンズ保持部材である。
【００１４】
１１１は第１の案内筒であり、１１３は第１の案内筒１１１を固定する固定筒である。固定筒１１３には、不図示のレンズ交換型カメラに着脱可能に装着されるマウント１１４が取り付けられている。
【００１５】
第１の案内筒１１１の外周には、該第１の案内筒１１１に対して光軸回りで回転可能かつ光軸方向に移動可能な第１のカム筒１１０が配置されている。第１のカム部材１０９の外周には、該第１のカム筒１１０の回転によって光軸回りで回転可能、かつ該第１のカム筒１１０に対して光軸方向に移動可能な第２のカム筒１０９が配置されている。さらに第２のカム筒１０９の外周には、第２のカム筒１０９とともに光軸方向に移動可能、かつ該第２のカム筒１０９を回転可能に保持する第２の案内筒１１２が第２のカム筒１０９に対して径方向間隔を空けて配置されている。この間隔（空間）には直進筒１０４が配置される。
【００１６】
第２の案内筒１１２の外周には、固定筒１１３に対してバヨネット結合することにより光軸方向の定位置にて光軸回りで回転可能に保持された操作環１１５が配置されている。操作環１１５の外周部には、ラバー１１６が巻かれ、ユーザが操作環１１５を回転操作する際の滑り止めとして機能する。
【００１７】
第１、第２、第３および第４レンズユッニト１０３，１０１，１０５，１０７はそれぞれ独立して光軸方向に移動することにより変倍（ズーム）を行う。そして本実施例では、特に第１レンズユニット１０３の移動量（繰り出し量）を大きくすることで、高ズーム倍率を実現する。このため、本実施例では、直進筒１０４を繰り出す第２のカム筒１０９を第１のカム筒１１０に対して繰り出す構成によって第１レンズユニット１０３を大きく繰り出すことを可能としている。
【００１８】
以下、各カム筒、各案内筒、操作環および各保持筒のより詳細な構成について説明する。後述するカム溝部、案内溝部およびカムフォロワは、各カム筒、各案内筒、操作環および各レンズ保持部材における周方向ほぼ等間隔の３個所に設けられている。
【００１９】
図４は、第１レンズユニット１０３とこれを保持する直進筒１０４の断面を示す。直進筒１０４の外周部には、第１直進フォロワ１２１が設けられている。また、直進筒１０４の内周部には、第１カムフォロワ１２３が設けられている。
【００２０】
図５は、第２レンズユニット１０１とこれを保持する第２レンズ保持部材１０２の断面を示す。図５中の左図は第２レンズユニット１０１と第２レンズ保持部材１０２を第２レンズ保持部材１０２の外周部における前側（被写体側）の部分に設けられた第２カムフォロワ１２４を含む断面を示す。右図は第２レンズ保持部材１０２の外周部における後側（像側）の部分に設けられた第２直進フォロワ１２５を含む断面を示す。
【００２１】
第２カムフォロワ１２４と第２直進フォロワ１２５はそれぞれ第１円筒部１２４ａと第２円筒部１２５ａを有し、第１円筒部１２４ａの外径は第２円筒部１２５ａの外径よりも大きく設定されている。交換レンズには、被写体側から像側に向かって外力（衝撃）が加わる場合がある。この場合、光軸方向に延びる後述する第２案内溝部１１１ａに係合する第２直進フォロワ１２５に比べて、光軸方向に対して傾きを有する後述する第２カム溝部１０９ａに係合する第２カムフォロワ１２４の方が大きな力を受ける。このため、第２カムフォロワ１２４の外径を第２直進フォロワ１２５の外径より大きくして、外力による第２カムフォロワ１２４の変形（潰れ）を防止する。
【００２２】
また、第２直進フォロワ１２５と第２カムフォロワ１２４は、第２レンズ保持部材１０２における周方向にて互いに異なる位相に設けられている。この理由については後述する。
【００２３】
図６は、第３レンズユニット１０５とこれを保持する第３レンズ保持部材１０６の断面を示す。第３レンズ保持部材１０６の外周部には、第３カムフォロワ１２６が設けられている。図７は、第４レンズユニット１０７とこれを保持する第４レンズ保持部材１０８の断面を示す。第４レンズ保持部材１０８の外周部には、第４カムフォロワ１２７が設けられている。
【００２４】
図８は、斜めから見た第２のカム筒１０９を示す。第２のカム筒１０９は、直進筒１０４の第１カムフォロワ１２３が係合する第１カム溝部１０９ｂと、第２レンズ保持部材１０２の第２カムフォロワ１２４が係合する第２カム溝部１０９ａとを有する。第２カム溝部１０９ａは第２のカムに相当する。
【００２５】
また、第２のカム筒１０９は、後述するように第１のカム筒１１０に設けられた回転連結ピン１３１が係合する回転連結溝部１０９ｄを有する。回転連結溝部１０９ｄは、光軸方向に直線状に延びている。回転連結ピン１３１および回転連結溝部１０９ｄは、第１および第２のカム筒１１０，１０９における周方向ほぼ等間隔の３箇所に設けられている。
【００２６】
さらに第２のカム筒１０９には、その外周後端部における周方向ほぼ等間隔の３個所にバヨネット爪１０９ｃを有する。これらバヨネット爪１０９ｃは、第２の案内筒１１１の内周後端部に周方向に延びるように形成されたバヨネット溝部１１２ｂに係合している。これにより、第２の案内筒１１２は、第２のカム筒１０９を、光軸方向に一体で移動可能かつ光軸回りで回転可能に保持する。
【００２７】
図９は、第２の案内筒１１２に第２のカム筒１０９を組み込んだときの断面を示す。図１０は、斜めから見た第２の案内筒１１２を示す。図１１は、第２の案内筒１１２と第２のカム筒１０９との間に直進筒１０４が配置されたときの断面を示す。第２の案内筒１１２の内周後端部には、第６カムフォロワ１２８が設けられている。第６カムフォロワ１２８は、第１のカム筒１１０に設けられた第６カム溝部１１０ａに係合する。第６カム溝部１１０ａと第６カムフォロワ１２８とにより第１のカム機構が構成される。
【００２８】
さらに前述したように、第２のカム筒１０９の第１カム溝部１０９ｂには直進筒１０４に設けられた第１カムフォロワ１２３が係合している。また、第２の案内筒１１２の内周部に設けられた第１案内溝部１１２ａ（図１１）には、直進筒１０４に設けられた第１直進フォロワ１２１が係合している。この構成により、第２のカム筒１０９が光軸回りで回転することで、直進筒１０４が光軸方向に直進移動する。
【００２９】
本実施例では、径方向内側から、第２のカム筒１０９、直進筒１０４および第２の案内筒１１２の順に配置する。すなわち、直進筒１０４を第２のカム筒１０９と第２の案内筒１１２とで挟むように構成している。これにより、後述するように第２の案内筒１１２が第１の案内筒１１１に対して光軸方向に繰り出したときに、第２の案内筒１１２の外周面がレンズ鏡筒の外観面となる。このため、第２の案内筒１１２の第１案内溝部１１２ａは、径方向内側に向かって開口し、第２の案内筒１１２を径方向に貫通しない有底溝部として形成されている。すなわち、第１案内溝部１１２ａは外観に露出しないように形成されている。
【００３０】
また、第２の案内筒１１２の外周部にはズームカムフォロワ１２９が設けられている。ズームカムフォロワ１２９は、操作環１１５の内周部に設けられたズームカム溝部１１５ａに係合する。
【００３１】
図１２は、ラバー１１６が巻かれた操作環１１５とマウント１１４が取り付けられた固定筒１１３の断面を示す。操作環１１５は、その外周後端部に周方向に延びるように形成されたバヨネット溝部１１５ｂに固定筒１１３の周方向ほぼ等間隔の３箇所に設けられたバヨネット爪１１３ｂが係合することで、固定筒１１３により光軸方向定位置にて光軸回りで回転可能に保持される。操作環１１５は、ズームカム溝部１１５ａを有する。このズームカム溝部１１５ａには、図２に示すように、第２の案内筒１１２に設けられたズームカムフォロワ１２９が係合する。ズームカム溝部１１５ａとズームカムフォロワ１２９とにより第３のカム機構が構成される。
【００３２】
図１３は斜めから見た第１のカム筒１１０を示し、図１４は斜めから見た第１の案内筒１１１を示す。図１５は第１の案内筒１１１に第１のカム筒１１０を組み込んだ状態を示し、図１６は第２のカム筒１０９が第１の案内筒１１１および第１のカム筒１１０に組み付けられた状態を示す。
【００３３】
第１のカム筒１１０は、その外周部に前述したように第２のカム筒１０９に設けられた回転連結溝部１０９ｄに係合する回転連結ピン１３１を有するとともに、前述したように第２の案内筒１１２の第６カムフォロワ１２８が係合する第６カム溝部１１０ａを有する。また、第１のカム筒１１０は、第３レンズ保持部材１０６の第３カムフォロワ１２６が係合する第３カム溝部１１０ｂと、第４レンズ保持部材１０８の第４カムフォロワ１２７が係合する第４カム溝部１１０ｃとを有する。第３カム溝部１１０ｂと第４カム溝部１１０ｃは第１のカムに相当する。
【００３４】
さらに第１のカム筒１１０は、第１の案内筒１１１の外周部に設けられた第５カムフォロワ１３０が係合する第５カム溝部１１０ｄを有する。第５カムフォロワ１３０と第５カム溝部１１０ｄにより第２のカム機構が構成される。
【００３５】
第１の案内筒１１１は、上記第５カムフォロワ１３０に加えて、第２レンズ保持部材１０２の被案内部である第２直進フォロワ１２５が係合する第２案内溝部１１１ａと、第２の案内筒１１２の第６カムフォロワ１２８が係合する第６案内溝部１１１ｂとを有する。また、第１の案内筒１１１は、第３レンズ保持部材１０６の第３カムフォロワ１２６と第４レンズ保持部材１０８の第４カムフォロワ１２７が係合する第３案内溝部１１１ｃを有する。
【００３６】
図１７、図１８および図１９は、本実施例のレンズ鏡筒のワイド状態での互いに異なる断面を示す。図１７に示すように、第２レンズ保持部材１０２の第２カムフォロワ１２４は第２のカム筒１０９の第２カム溝部１０９ａに係合している。
【００３７】
操作環１１５が回転操作されると、そのズームカム溝部１１５ａによってズームカムフォロワ１２９とともに第２の案内筒１１２を光軸方向に移動させる力が発生する。このとき、図１８に示すように、第２の案内筒１１２に設けられた第６カムフォロワ１２８が第１の案内筒１１１の第６案内溝部１１１ｂによって光軸方向に案内される。これにより、第２の案内筒１１１は、これと光軸方向にて一体に係合している第２のカム筒１０９とともに光軸方向に移動する（繰り出す）。さらに、図１８に示すように第６カムフォロワ１２８は第１のカム筒１１０の第６カム溝部１１０ａにも係合しているため、第２の案内筒１１２が光軸方向に移動することにより第１のカム筒１１０が光軸回りで回転する。
【００３８】
そして、第１のカム筒１１０は、回転しながらその第５カム溝部１１０ｄが第１の案内筒１１１の外周部に設けられた第５カムフォロワ１３０に係合していることで光軸方向に移動される。さらに、第１のカム筒１１０が回転すると、回転連結ピン１３１と回転連結溝部１０９ｄとの係合により第２のカム筒１０９が光軸回りで回転される。こうして光軸方向に移動しながら回転する第２のカム筒１０９の第１カム溝部１０９ｂによって直進筒１０４の第１カムフォロワ１２３が押されることで、直進筒１０４が光軸方向に移動する。この際、直進筒１０４（第１直進フォロワ１２１）は、第２の案内筒１１２の第１案内溝部１１２ａによって光軸方向に案内される。
【００３９】
高ズーム倍率の交換レンズでは、その最短状態（ワイド状態）での全長をできるだけ短くする一方で、各レンズユニットのズーム時の移動量を大きく確保することが必要である。本実施例では、ズーム時に第１のカム筒１１０と第２のカム筒１０９がともに光軸方向に移動する構成を採用することで、最短状態での全長を短くしながら各レンズユニットの移動量を大きく確保している。
【００４０】
前述したように、第２レンズ保持部材１０２の第２カムフォロワ１２４は第２のカム筒１０９の第２カム溝部１０９ａに係合している。また、図１９に示すように、第２レンズ保持部材１０２の第２直進フォロワ１２５は第１の案内筒１１１の第２案内溝部１１１ａに係合している。このため、第２のカム筒１０９が回転すると、第２レンズ保持部材１０２（第２レンズユニット１０１）は光軸方向に移動する。
【００４１】
また前述したように、第３レンズ保持部材１０６の第３カムフォロワ１２６と第４レンズ保持部材１０８の第４カムフォロワ１２７はそれぞれ、第１のカム筒１１０の第３カム溝部１１０ｂと第４カム溝部１１０ｃに係合している。第３カムフォロワ１２６と第４カムフォロワ１２７は、第１の案内筒１１１の第３案内溝部１１１ｃにも係合している。このため、第１のカム筒１１０が回転すると、第３レンズ保持部材１０６（第３レンズユニット１０５）と第４レンズ保持部材１０８（第４レンズユニット１０７）は光軸方向に移動する。
【００４２】
図２０は、本実施例のレンズ鏡筒のワイド状態での断面を示している。光軸Ａより上側には第２レンズ保持部材１０２に設けられた第２カムフォロワ１２４を含む第１の断面を示す。図２０において、光軸Ａより下側には第２直進フォロワ１２５を含む第２の断面を示している。第１の断面と第２の断面は周方向での位相が互いに異なる断面である。
【００４３】
ワイド状態において、マウント１１４におけるカメラとの接触面であるマウント基準面１１４ａから第２カムフォロワ１２４の円筒部１２４ａのマウント側側面（第２カム溝部１０９ａとの接触面）までの範囲を１２４ｂとする。また、マウント基準面１１４ａから第２直進フォロワ１２５の円筒部のマウント側側面までの範囲を１２５ａとする。
【００４４】
図２１は、本実施例のレンズ鏡筒のテレ状態での断面を示している。図２１においても、光軸Ａより上側には上記第１の断面を示し、光軸Ａより下側には上記第２の断面を示している。テレ状態において、マウント基準面１１４ａから第２カムフォロワ１２４の円筒部１２４ａのマウント側側面までの範囲を１２４ｃとする。また、マウント基準面１１４ａから第２直進フォロワ１２５の円筒部のマウント側側面までの範囲を１２５ｂとする。さらに、テレ状態における範囲１２５ｂからワイド状態における範囲１２５ａを差し引いた範囲を第１の範囲１２５ｃとする。また、テレ状態における範囲１２４ｃからワイド状態における範囲１２４ｂを差し引いた範囲を第２の範囲（第２カムフォロワ１２４の移動範囲）１２４ｄとする。
【００４５】
本実施例のレンズ鏡筒は、第１の範囲１２１ｃと第２の範囲１２４ｄとが互いに光軸方向において重複するように光軸回りの配置位相を変えて構成されている。この場合に、仮に第２直進フォロワ１２５が係合する第２案内溝部１１１ａを第２カムフォロワ１２４が係合する第２カム溝部１０９ａと同じ位相に設けようとすると、第２カムフォロワ１２４と第２直進フォロワ１２５の移動範囲が光軸方向において重複するために第２カム溝部１０９ａと第２案内溝部１１１ａとの干渉が生じる。
【００４６】
このため本実施例では、第２カムフォロワ１２４を第２のカム筒１０９に設け、第２案内溝部１１１ａを第１の案内筒１１１に設けている。さらに、第２カムフォロワ１２４（第２カム溝部１０９ａ）と第２直進フォロワ１２５（第２案内溝部１１１ａ）の周方向での位相を互いに異ならせている。これにより、第２カム溝部１０９ａとる第２案内溝部１１１ａとの干渉を回避することができる。
【００４７】
また、第２レンズ保持部材１０２を光軸方向に移動させる構成としては、第２カム溝部１０９ａを第１のカム筒１１０に設ける構成も考えられる。しかし、第１のカム筒１１０には、第３および第４カム溝部１１０ｂ，１１０ｃや、第１のカム筒１１０自体を光軸方向に移動させるための第５カム溝部１１０ｄや、第１のカム筒１１０を回転させるための第６カム溝部１１０ａといった多数のカム溝部が設けられる。さらに、第１のカム筒１１０には、第２のカム筒１０９を回転させるための回転連結ピン１３１も設けられる。このため、第１のカム筒１１０にこれ以上、カム溝部を設けることはスペース的に困難であり、カム溝部の追加による第１のカム部材１１０の強度低下も懸念される。また、第１のカム筒１１０に第２カム溝部１０９ａを設け、第３および第４カム溝部１１０ｂ，１１０ｃを、第１カム筒１１０の内周に配置した別（第３）のカム筒に設けると、レンズ鏡筒の外径の増加（大型化）につながる。
【００４８】
これに対して、本実施例によれば、第２カムフォロワ１２４を直進筒１０４を移動させるための第２のカム筒１０９に設け、第２案内溝部１１１ａを第３および第４レンズ保持部材１０６，１０８を案内するための第１の案内筒１１１に設けている。これにより、レンズ鏡筒の外径の増加を抑えつつ、第１から第４レンズユニット１０３，１０１，１０５，１０７の必要移動量を確保することができる。
【００４９】
なお、本実施例は、４つのレンズユニットにより撮像レンズを構成する場合について説明したが、他の撮像レンズの構成を採用してもよい。また、本実施例では、フォーカスのためのレンズユニットの動作についての説明は省略したが、例えば、撮像レンズがリアフォーカスタイプのレンズであれば第３レンズユニット１０５や第４レンズユニット１０７を光軸方向に移動させてフォーカスを行う。また、撮像レンズがフロントフォーカスタイプのレンズであれば第１レンズユニット１０３を光軸方向に移動させてフォーカスを行う。
【００５０】
以上説明した各実施例は代表的な例にすぎず、本発明の実施に際しては、各実施例に対して種々の変形や変更が可能である。
【符号の説明】
【００５１】
１０１    第２レンズユニット（第２のレンズ）
１０２    第２レンズ保持部材
１０４    直進筒
１０５    第３レンズユニット（第１のレンズ）
１０７    第４レンズユニット（第１のレンズ）
１０９    第２のカム筒
１０９ａ  第２カム溝部
１０９ｂ  第１カム溝部
１１０    第１のカム筒
１１０ｂ  第３カム溝部（第１のカム）
１１０ｃ  第４カム溝部（第１のカム）
１１１    第１の案内筒
１１１ａ  第２案内溝部  
１１２    第２の案内筒
１１２ａ  第２の案内溝  
１１５    操作環
１２４    第２カムフォロワ
１２５  第２直進フォロワ
【図１】
2019132947.tif 000003
【図２】
2019132947.tif 000004
【図３】
2019132947.tif 000005
【図４】
2019132947.tif 000006
【図５】
2019132947.tif 000007
【図６】
2019132947.tif 000008
【図７】
2019132947.tif 000009
【図８】
2019132947.tif 000010
【図９】
2019132947.tif 000011
【図１０】
2019132947.tif 000012
【図１１】
2019132947.tif 000013
【図１２】
2019132947.tif 000014
【図１３】
2019132947.tif 000015
【図１４】
2019132947.tif 000016
【図１５】
2019132947.tif 000017
【図１６】
2019132947.tif 000018
【図１７】
2019132947.tif 000019
【図１８】
2019132947.tif 000020
【図１９】
2019132947.tif 000021
【図２０】
2019132947.tif 000022
【図２１】
2019132947.tif 000023